(57)【要約】      （修正有）【課題】水路の底面に敷設する更生パネルの勾配出しが容易にでき、施工時間を短縮できる方法を提供する。【解決手段】所定長さの更生パネル１４をつなぎ合わせて敷設することによって水路１２を更生する水路更生方法において、水路１２の底面１２ａに更生パネル１４を敷設する前に、隣接する更生パネル１４にまたがって延びるレール状の更生パネル支持具１０（１０ａ）を、その上面２８が所定勾配を形成するように水路１２の底面１２ａに敷設する。その後、更生パネル支持具１０の上面２８に沿わせて更生パネル１４を敷設する。【選択図】図３
2008127801.tif 000002
【特許請求の範囲】
【請求項１】
所定長さの更生パネルをつなぎ合わせて水路の底面を更生する水路更生方法であって、
隣接する前記更生パネルにまたがって延びる更生パネル支持具を、その上面が所定勾配を形成するように前記水路の流れ方向に敷設し、そして
前記更生パネル支持具の上面に沿わせて前記更生パネルを配置する、水路更生方法。
【請求項２】
それらの上面を結ぶ線が前記所定勾配を有するように複数の高さ調整部材を前記水路の流れ方向に設け、複数の前記高さ調整部材の上面に沿わせて前記更生パネル支持具を敷設することによって、前記更生パネル支持具の上面に前記所定勾配を形成する、請求項１記載の水路更生方法。
【請求項３】
請求項１または２の水路更生方法によって更生された、水路。
【発明の詳細な説明】
【技術分野】
【０００１】
この発明は水路更生方法およびその方法によって更生された水路に関し、特にたとえば、所定長さの更生パネルをつなぎ合わせて水路の底面を更生する、水路更生方法およびその方法によって更生された水路に関する。
【背景技術】
【０００２】
従来のこの種の水路更生方法の一例が特許文献１に開示される。特許文献１の水路更生工法では、その一端部外周面に受け部が設けられ、その他端部外周面に差し部が設けられた水路更生部材を用いる。この水路更生部材の受け部または差し部には、止水パッキンが装着されている。この水路更生部材を用いて水路を更生する際には、既設の水路の流れ方向に沿って、差し部と受け部とが対面するように複数の水路更生部材を列設して配置する。そして、差し部を受け部に挿入し、止水パッキンを介して隣り合う水路更生部材同士を止水的に接続した後、列設した水路更生部材を既設水路に固定し、水路更生部材で更生水路の底面を形成する。
【特許文献１】特開２００６−９４７０号公報［Ｅ０２Ｂ  ５／０２］
【発明の開示】
【発明が解決しようとする課題】
【０００３】
水路を更生する際には、通常、更生した水路の底面に既設水路と同程度の勾配をつける必要がある。そこで、特許文献１の工法のように複数の水路更生部材を接続して水路を更生する場合には、複数の水路更生部材のそれぞれに対して勾配出しを行うのが通常の方法であるが、この勾配出しの作業は難しく、手間および時間がかかる。
【０００４】
それゆえに、この発明の主たる目的は、更生パネルの勾配出しを容易に行うことができる、水路更生方法およびその方法によって更生された水路を提供することである。
【課題を解決するための手段】
【０００５】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【０００６】
請求項１の発明は、所定長さの更生パネルをつなぎ合わせて水路の底面を更生する水路更生方法であって、隣接する更生パネルにまたがって延びる更生パネル支持具をその上面が所定勾配を形成するように水路の流れ方向に敷設し、そして更生パネル支持具の上面に沿わせて更生パネルを配置する、水路更生方法である。
【０００７】
請求項１の発明では、水路（１２）を更生するための更生パネル（１４）を敷設する前に、隣接する更生パネルにまたがって延び、所定勾配がその上面（２８）に形成されたレール状の更生パネル支持具（１０）を水路の底面（１２ａ）に敷設する。この更生パネル支持具は、たとえば、水路の幅方向両端部近傍のそれぞれに、水路の流れ方向に延びるように設けられる。更生パネル支持具を敷設した後に、更生パネルを更生パネル支持具の上面に沿わせて配置し、たとえば埋め込みアンカ（６４）やボルト（６６）等を用いて水路の底面に固定する。
【０００８】
請求項１の発明によれば、更生パネルを敷設する前に、隣接する更生パネルにまたがって延び、その上面に所定勾配を有するレール状の更生パネル支持具を水路の底面に設けるので、更生パネル支持具の上面に沿わせて更生パネルを配置するだけで、更生パネルは所定勾配を有するようになる。したがって、水路の底面に敷設する更生パネルの勾配出しを容易に行うことができ、その施工時間を短縮することができる。
【０００９】
請求項２の発明は、請求項１の発明に従属し、それらの上面を結ぶ線が所定勾配を有するように複数の高さ調整部材を水路の流れ方向に設け、複数の高さ調整部材の上面に沿わせて更生パネル支持具を敷設することによって、更生パネル支持具の上面に所定勾配を形成する。
【００１０】
請求項２の発明では、更生パネル支持具（１０）の上面（２８）に所定勾配を形成するための高さ調整部材（２４）を、水路（１２）の底面（１２ａ）に設ける。高さ調整部材は、たとえば、埋め込みアンカ（２２）に取り付けられるボルト（２４）である。たとえば、水路の底面の幅方向両端部付近のそれぞれに、水路の流れ方向に並ぶ複数の埋め込みアンカを敷設し、各埋め込みアンカにボルトを取り付ける。この際には、水路の流れ方向に並ぶ各ボルトの上面を結ぶ線が所定勾配を有するように、各ボルトの高さを調節する。そして、これらの流れ方向に並んで設けられたボルトの上面に沿うようにレール状の更生パネル支持具を敷設する。これによって、その上面に所定勾配を有する更生パネル支持具を容易に設けることができる。
【００１１】
請求項３の発明は、請求項１または２の水路更生方法によって更生された、水路である。
【００１２】
請求項３の発明では、水路（１２）の更生に請求項１または２の水路更生方法を用いる。したがって、更生された水路は、その施工時間が短縮される。
【発明の効果】
【００１３】
この発明によれば、更生パネルを敷設する前に、隣接する更生パネルにまたがって延び、その上面に所定勾配を有するレール状の更生パネル支持具を水路の底面に設けるので、底面に敷設する更生パネルの勾配出しを容易に行うことができ、その施工時間を短縮することができる。
【００１４】
この発明の上述の目的，その他の目的，特徴および利点は、図面を参照して行う以下の実施例の詳細な説明から一層明らかとなろう。
【発明を実施するための最良の形態】
【００１５】
この発明の一実施例である水路更生方法は、たとえば、農業用、工業用および下水用の開水路あるいは暗渠等の水路１２の内面１２ａ，１２ｂを、複数の更生パネル１４をつなぎ合わせて敷設することによって更生する際に用いられる。
【００１６】
この水路更生方法では、更生パネル１４を施工する前に、先ず、水路（既設水路）１２の洗浄作業を行う。たとえば、水路１２の更生部位、つまり施工部位より上流側にコンクリートパネルや土嚢等を設けて、水路１２を流れる水を堰き止める。堰き止めた水は、水中ポンプ等によって汲み出し、施工部位より下流側に放流する。そして、施工部位に付着する泥や苔等を高圧洗浄機等によって除去し、施工部位の表面の特に突き出た部分をディスクサンダ等によって除去する。
【００１７】
水路１２の洗浄作業が終わると、次に、水路１２の底面１２ａに対して更生パネル支持具１０の設置作業を行う。ここでは、先ず、水路１２の底面１２ａの流れ方向の所定勾配を測量し、図１に示すように、その所定勾配と同じ勾配を有する水糸１６を水路１２の内部に設ける。水糸１６を設ける際には、たとえば、施工部位の流れ方向の両端、すなわち水路１２の上流側端部および下流側端部のそれぞれに、水路１２の幅方向に延びる水平材（水貫）１８を設置し、それらの上面を水路１２の所定勾配と一致させる。そして、水路１２の両側面１２ｂの近くのそれぞれに、水平材１８の上面に沿うように、水路１２の流れ方向と平行に水糸１６を設ける。この際には、水糸１６の弛みを防止するため、たとえば、施工部位の流れ方向の長さを等分した位置に水平材１８をさらに設置してもよい。なお、水平材１８は、水路１２の両側面１２ｂの所定高さにそれぞれ取り付けた角材２０等によって固定するとよい。たとえば、水路１２の底面１２ａと側面１２ｂとの間にハンチがある場合には、そのハンチの上に取り付けた角材２０によって水平材１８を固定する。
【００１８】
次に、図２に示すように、高さ調節部材（この実施例ではボルト２４）を水路１２の底面１２ａに敷設する。たとえば、水糸１６の鉛直下、つまり水路１２の底面１２ａの幅方向両端部付近の位置に沿って、施工部位の上流側端部から６０ｃｍ毎に複数の埋め込みアンカ２２を敷設し、これらの埋め込みアンカ２２にそれぞれＭ８ボルト等のボルト２４を取り付ける。この際には、定尺棒等を用いて水糸１６から各ボルト２４の上面までの最短距離が一定になるように、水路１２の底面１２ａから出る各ボルト２４の高さを調節する。これによって、流れ方向に並ぶボルト２４の上面を結ぶ線は、水糸１６と同じ勾配、すなわち水路１２の底面１２ａと同じ所定勾配を有するようになる。
【００１９】
なお、水路１２の流れ方向における埋め込みアンカ２２およびボルト２４の間隔は、後述する更生パネル支持具１０、或いは更生パネル支持具部材１０ａの長さや強度等によって適宜変更可能である。また、後述するように、複数の更生パネル支持具部材１０ａによって更生パネル支持具１０を形成する場合には、各更生パネル支持具部材１０ａの両端部付近（たとえば、更生パネル支持具部材１０ａの端部から３０ｍｍ以内）にボルト２４が位置するように、埋め込みアンカ２２を施工するとよい。
【００２０】
また、ボルト２４の上面と水路１２の底面１２ａとの距離、つまり水路１２の底面１２ａから出るボルト２４の高さは、たとえば１０ｍｍ程度である。なお、このボルト２４の高さは、後述する、水路１２の底面１２ａと更生パネル１４との間に充填する充填材２６の厚みおよびその流動性等を考慮して、適宜変更可能である。ただし、充填材２６の最低限の厚みを確保する等のために、水路１２の底面１２ａと後述する更生パネル１４の窪み部４６の底面部４６ｃの下面との間隔が所定間隔になるようにボルト２４の高さを調節する。
【００２１】
次に、図３および図４に示すように、水路１２の流れ方向に並ぶボルト２４の上面に沿わせて、水路１２の施工部位の全長に亘ってレール状の更生パネル支持具１０を敷設する。つまり、水路１２の流れ方向に延びる２本の更生パネル支持具１０を敷設する。ここで、施工部位の流れ方向の長さが長い場合には、複数の更生パネル支持具部材１０ａをその長手方向に突合せて並べ、更生パネル支持具１０を敷設してもよい。つまり、複数の更生パネル支持具部材１０ａによって更生パネル支持具１０を形成してもよい。この更生パネル支持具１０（或いは、更生パネル支持具部材１０ａ）には、たとえば、市販されている溝形鋼（チャンネル）や平鋼（フラットバー）等の形鋼を用いることができる。この実施例では、株式会社カメダデンキ製のＵカナグＵ型（商品名）、Ｕ−２３（型番）を用いた。図５に示すように、更生パネル支持具１０は、「Ｕ」字状の断面形状を有し、その上面２８は平面である。また、更生パネル支持具１０の上面２８には、複数の略長方形の孔３０が形成される。この孔３０は必ずしも必要では無いが、孔３０は後述する充填材２６の流路となり得るので、孔３０を有することによって充填材２６の流動性が良くなる。なお、更生パネル支持具１０の形状や材質等はこれらに限定されず、適宜なものを選択して用いることができる。
【００２２】
また、各ボルト２４の上面に沿わせて更生パネル支持具１０を敷設する際には、バンセンや結束バンド等を用いて、ボルト２４と更生パネル支持具１０とを結合し、更生パネル支持具１０をボルト２４、すなわち水路１２の底面１２ａに固定するとよい。これは、後述するように、更生パネル支持具１０を敷設した後に、更生パネル１４を固定するための埋め込みアンカ６４等を施工するので、この際の更生パネル支持具１０のずれを防止するためである。ただし、接着材や粘着テープ等を用いてボルト２４と更生パネル支持具１０とを接合して、更生パネル支持具１０を固定することもできる。
【００２３】
このように敷設した更生パネル支持具１０は、隣接する複数の更生パネル１４にまたがって延び、その平らな上面２８は、水路１２の底面１２ａと同じ所定勾配を有する。また、水路１２の底面１２ａの両端部に設けた２本の更生パネル支持具１０の勾配および高さは等しく、２本の更生パネル支持具１０の上面２８を水路１２の幅方向に結ぶ線は常に水平である。
【００２４】
水路１２の底面１２ａに更生パネル支持具１０を敷設すると、次に、水平材１８等を取り除く。そして、更生パネル１４を更生パネル支持具１０の上面２８に沿わせて配置し、固定する。
【００２５】
更生パネル１４は、図６に示すように、本体３２を備え、塩化ビニル樹脂やポリオレフィン樹脂等の合成樹脂等によって形成される。水路１２の底面１２ａに敷設する更生パネル１４は、たとえば、延長方向の長さが３０ｃｍであって、それと直交する方向、すなわち幅方向の長さが水路１２の底面１２ａの幅方向の長さより若干短い長さを有する。また、水路１２の側面１２ｂに敷設する更生パネル１４は、側面１２ｂの高さ方向の長さに適応した幅方向の長さを有する。本体３２は、平滑な上面３４とそれに対向する下面３６とを有し、上面３４の表面は、アクリル樹脂等の対候性を有する樹脂層で覆われている。また、本体３２の延長方向の一方端３８の下面３６側には、受部４２および係止部４４が設けられ、他端４０の下面３６側には、窪み部４６が設けられる。受部４２、係止部４４および窪み部４６は、それぞれ、本体３２の幅方向の全長に亘って形成される。さらに、下面３６には、複数の突起部４８が所定の間隔毎に、本体３２の幅方向の全長に亘って設けられる。
【００２６】
受部４２は、本体３２の一方端３８と一体となって、「コ」字状の断面形状を有する。また、係止部４４は、受部４２よりも他端４０側に設けられ、本体３２からほぼ直角に突出する。係止部４４は「く」字状に曲がり、その先には係り部５０が形成される。係り部５０は、係止部４４の先から他端４０側に向かって突出する。
【００２７】
窪み部４６は、略「Ｊ」字状の断面形状を有し、本体３２の他端４０側から一方端３８の反対方向に向かって突出し、その遠端側４６ａは上方へ向かって湾曲する。窪み部４６の遠端側４６ａの先は、「く」字状に曲がり、その先には係り部５２が形成される。係り部５２は、遠端側４６ａの先から本体３２側に向かって突出する。また、窪み部４６の近端側４６ｂには、係合部５４が設けられる。係合部５４は、窪み部４６の近端側４６ｂから本体３２の一方端３８の反対方向に向かって突出しており、略三角形状の断面形状を有する。その係合部５４の下には、切欠５６が設けられる。切欠５６は、略矩形の断面形状を有し、切欠５６の上面は、係合部５４の下面を延長するように形成される。また、他端４０の端部および係合部５４の上面には、エラストマ等の止水材５８が設けられる。
【００２８】
また、窪み部４６の底面部４６ｃには、複数の貫通孔６０が幅方向に所定の間隔を隔てて設けられる。貫通孔６０は、たとえば、窪み部４６の幅方向の両端からそれぞれ１００ｍｍ以下の位置に形成され、その間を並ぶように、所定の間隔を隔てて、たとえば１００−３００ｍｍのピッチでその他の貫通孔６０が形成される。ただし、貫通孔６０は、更生パネル１４を更生パネル支持具１０の上面２８に配置したときに、更生パネル支持具１０と重ならない位置に形成される。なお、窪み部４６の底面部４６ｃは、この更生パネル１４において最も低い位置に形成されるので、更生パネル１４を更生パネル支持具１０の上面２８に配置したときには、この底面部４６ｃの下面が更生パネル支持具１０の上面２８と接する部分となる。また、底面部４６ｃの下面と本体３２の上面３４は平行である。
【００２９】
また、突起部４８は、係止部４４と窪み部４６との間に設けられる。突起部４８は、「Ｔ」字状や「ト」字状の断面形状を有する。この突起部４８は、後述する充填材２６が水路１２と更生パネル１４との間に充填されたときに、充填材２６に嵌まって投錨効果を示し、更生パネル１４と充填材２６とを一体化させる。
【００３０】
このような更生パネル１４を更生パネル支持具１０の上面２８に配置し、固定する際には、先ず、図７に示すように、更生パネル支持具１０の上面２８の一方端にスタート部材６２を取り付ける。スタート部材６２は、たとえば、上述の更生パネル１４から窪み部４６のみを切り離したもの、すなわち窪み部４６の部分のみで形成されるものである。よって、スタート部材６２の各部位には、それらに相当する更生パネル１４の各部位と同じ参照番号を付して説明することにする。
【００３１】
スタート部材６２を取り付けるときには、先ず、スタート部材６２をその取り付け位置に仮置きして、スタート部材６２に設けられた各貫通孔６０の位置に相当する水路１２の底面１２ａの位置を確認し、それらの位置に埋め込みアンカ６６を施工する。そして、各貫通孔６０を介して埋め込みアンカ６６にボルト６８を取り付けることによって、スタート部材６２を更生パネル支持具１０の上面２８に固定する。
【００３２】
次に、図８および図９に示すように、スタート部材６２を固定するボルト６６を更生パネル１４の本体の一方端３８によって覆いながら、スタート部材６２と更生パネル１４とを接続する。すなわち、スタート部材６２に設けられた止水材５８に対して更生パネル１４の一方端３８の端部を押し当て、上から下に押し込むようにして、スタート部材６２の係合部５４を更生パネル１４の受部４２に挿入し、スタート部材６２の係り部５２と更生パネル１４の係止部４４とを係止する。このとき、スタート部材６２の止水材５８によって、スタート部材６２と更生パネル１４とは止水的に連結される。そして、スタート部材６２と同様にして、埋め込みアンカ６４およびボルト６６等によって更生パネル１４も更生パネル支持具１０の上面２８に固定する。
【００３３】
この後、同様にして、図１０に示すように、更生パネル１４の窪み部４６を他の更生パネル１４の本体の一方端３８によって覆いながら、順次、更生パネル１４同士を連結し、固定していく。そして、更生パネル１４によって、水路１２の底面１２ａが施工部分の全域に亘って覆われると、更生パネル支持具１０の他端に設けられた更生パネル１４の窪み部４６にエンド部材（図示せず）を取り付ける。エンド部材は、たとえば、上述の更生パネル１４から、窪み部４６を覆う部分、すなわち更生パネル１４の一方端３８を切り離した部分のみで形成されるものである。このようにして、更生パネル支持具１０の上面２８に沿うように更生パネル１４が敷設され、図１１に示すように、水路１２の底面１２ａが更生される。
【００３４】
また、水路１２の底面１２ａを更生する更生パネル１４のたわみを防止するためには、図１２に示すように、スペーサ６８を、更生パネル支持具１０から離れた位置において更生パネル１４を固定するボルト６６等に適宜設けるとよい。このスペーサ６８は、図１３に示すように、ゴム等によって形成され、断面が略円形の中空部７０を有する略直方体に形成される。スペーサ６８は開口部７２を有しており、この開口部７２を介して中空部７０にボルト６６が挿入される。これによって、スペーサ６８は、水路１２の底面１２ａと更生パネル１４との間に挿入され、更生パネル１４のたわみを防止する。なお、スペーサ６８は、幅方向において、その上面が更生パネル支持具１０の上面２８と水平になるように設けられる。また、スペーサ６８の形状はこれに限定されず、適宜な形状のスペーサ６８を用いることができる。
【００３５】
更生パネル１４を更生パネル支持具１０の上面２８に配置して固定し、水路１２の底面１２ａを更生すると、次に、水路１２の側面１２ｂにも更生パネル１４を取り付け、水路１２の側面１２ｂを更生する。そして、水路の底面１２ａを更生する更生パネル１４と側面１２ｂを更生する更生パネル１４との間を、たとえばシリコンシーラントを用いたコーキング処理等によって適宜止水処理する。また、水路１２の流れ方向の両端部において、更生パネル１４と水路１２の内面１２ａ，１２ｂとの隙間を、エポキシ系接合材等を用いて閉塞する。その後、水路１２の側面１２ｂと側面１２ｂを更生する更生パネル１４との間からモルタル等の充填材２６を注入し、水路１２の内面１２ａ，１２ｂと各更生パネル１４との間を充填材２６によって充填する。そして、充填材２６が硬化した後、側面１２ｂを更生する更生パネル１４の幅方向の一方端、すなわち天端のコーキング処理等の仕上げ作業を適宜行い、水路１２の内面１２ａ，１２ｂの更生作業を終了する。
【００３６】
このように、更生パネル１４を敷設する前に、複数の更生パネル１４にまたがって延び、その上面２８に所定勾配を有するレール状の更生パネル支持具１０を水路１２の底面１２ａに設けるので、その更生パネル支持具１０の上面２８に沿うように更生パネル１４を配置するだけで、所定勾配を有する更生パネル１４を水路１２の底面１２ａに敷設でき、つなぎ合わせる更生パネル１４毎に勾配出しを行う必要が無くなる。したがって、水路１２の底面１２ａに敷設する更生パネル１４の勾配出し（勾配管理）を容易に行うことができ、その施工時間を短縮することができるので、施工コストを低減できる。言い換えると、この実施例の水路更生方法によって更生された水路は、その施工時間が短縮され、その施工コストが低減される。
【００３７】
また、更生パネル支持具１０の平らな上面２８に更生パネル１４を配設するので、更生パネル１４は水路１２の底面１２ａの凹凸の影響を受けず、各更生パネル１４の上面は接合部においても波打たない。したがって、更生された水路の底面は面一となり、更生された水路では滑らかに水が流れる。
【００３８】
なお、上述の実施例では、既設の水路１２が元々有する所定勾配を再現するように水路１２を更生したが、それに限定されず、適宜な、或いは所望の勾配を有するように水路１２を更生することもできる。また、所定勾配には、勾配０、すなわち水平も含み、その底面が水平になるように水路１２を更生することもできる。
【００３９】
また、上述の実施例では、更生パネル支持具１０を水路１２の底面１２ａの両端部付近にそれぞれ設けたが、更生パネル支持具１０の設置位置および設置本数等は、これに限定されず、更生する水路１２の幅方向の長さや更生パネル１４の剛性等に応じて適宜変更され得る。たとえば、更生パネル１４の剛性が小さい場合等には、各更生パネル支持具１０を底面１２ａの両端部から少し離して設け、更生パネル支持具１０同士の間隔を狭くするようにしてもよい。また、水路１２の幅が広い場合等には、水路１２の幅を等分する位置に他の更生パネル支持具１０を設ける、つまり３本以上の更生パネル支持具１０を水路１２の底面１２ａに設けてもよい。たとえば、水路１２の底面１２ａの両端部付近にそれぞれ設けた更生パネル支持具１０の他に、その中央部付近に延びる更生パネル支持具１０をさらに設けることもできる。このように他の更生パネル支持具１０を設ける場合には、これによって更生パネル１４のたわみを防止できるので、上述のスペーサ６８を用いる必要が無くなる。また、たとえば、水路１２の幅が狭い場合等には、その中央部付近に延びる１本の幅広の更生パネル支持具１０を設けてもよい。
【００４０】
さらに、上述の実施例では、水路１２の流れ方向に並ぶボルト２４を利用して、更生パネル支持具１０の上面２８に所定勾配を形成した、つまり高さ調整部材としてボルト２４を用いたが、これに限定されず、適宜な方法で更生パネル支持具１０の上面２８に所定勾配を形成するとよい。たとえば、ボルト２４の代わりに高さ調整部材として長釘等を利用してもよい。また、たとえば、モルタル等によって高さ１ｃｍ程度の小さな山を水路の流れ方向に並べて設け（たとえば、上述のボルト２４に相当する位置に設ける）、モルタルが固まる前にその上に更生パネル支持具１０を配置し、水糸１６からの寸法をチェックして更生パネル支持具１０の上面２８の高さを調節することによって、更生パネル支持具１０の上面２８に所定勾配を形成することもできる。
【００４１】
また、上述の実施例では、水路１２の底面１２ａに埋め込みアンカ２２を敷設し、それに高さ調整部材としてボルト２４を取り付けた（図４参照）が、これに限定されず、たとえば図１４に示すように、水路１２の底面１２ａに台座７４を設け、それにボルト７６等の高さ調整部材を取り付けるようにしてもよい。台座７４は、たとえば、円筒形状に形成され、釘やビス、或いは接着剤等によって水路１２の底面１２ａに固定される。たとえば、台座７４の内周面には雌ねじ部７８が形成されており、これによって、台座７４とボルト７６等とは、高さ調整可能に取り付けられる。ただし、台座７４の形状はこれに限定されず、たとえば、ボルト形状を有する台座７４を、その雄ねじ部を上に向けて水路１２の底面１２ａに設け、それにナット等を高さ調整部材として取り付けることもできる。なお、台座７４の敷設時には、台座７４を水路１２の底面１２ａに対して必ずしも強固に固定する必要はなく、その後に敷設される更生パネル支持具１０および更生パネル１４の敷設時等に、ずれない程度に台座７４を水路１２の底面１２ａに対して固定すればよい。これは、更生パネル１４が敷設された後、台座７４の周囲には充填剤２６が充填され、これによって台座７４は強固に固定されるからである。このような台座７４を用いることによって、水路１２の底面１２ａに対してボルト７６等の高さ調整部材を容易に設けることができる。
【００４２】
また、上述の実施例では、図６に示すような更生パネル１４を用いたが、更生パネル１４の形状等はこれに限定されず、適宜な更生パネル１４を用いることができる。
【図面の簡単な説明】
【００４３】
【図１】この発明の一実施例の水路更生方法によって更生される水路に水糸を設置した状態を示す斜視図である。
【図２】図１の水路に高さ調整部材（ボルト）を設置した状態を示す斜視図である。
【図３】図１の水路に更生パネル支持具を設置した状態を示す斜視図である。
【図４】図２の高さ調整部材の上面に沿わせて更生パネル支持具を設置した状態を示す断面図である。
【図５】この発明の水路更生方法に用いる更生パネル支持具（更生パネル支持具部材）の外観を示す斜視図である。
【図６】この発明の水路更生方法に用いる更生パネルの外観を示す斜視図である。
【図７】図３の更生パネル支持具の上にスタート部材を設置した状態を示す斜視図である。
【図８】図７のスタート部材に図６の更生パネルを接合するときの様子を示す断面図である。
【図９】図７のスタート部材に図６の更生パネルを接合した状態を示す断面図である。
【図１０】図３の更生パネル支持具の上面に沿わせて図６の更生パネルを順次接合した状態を示す断面図である。
【図１１】図６の更生パネルによって図１の水路の底面が更生された状態を示す斜視図である。
【図１２】図６の更生パネルを固定するボルトの１つにスペーサを取り付けた状態を示す断面図である。
【図１３】この発明の水路更生方法に用いるスペーサの外観を示す斜視図である。
【図１４】この発明の水路更生方法に用いる高さ調整部材の他の一例を示す断面図である。
【符号の説明】
【００４４】
１０  …更生パネル支持具
１０ａ  …更生パネル支持具部材
１２  …水路
１２ａ，１２ｂ  …水路の内面（底面，側面）
１４  …更生パネル
１６  …水糸
１８  …水平材
２２  …埋め込みアンカ
２４，７６  …ボルト（高さ調整部材）
２８  …更生パネル支持具の上面
６４  …埋め込みアンカ（更生パネル固定用）
６６  …ボルト（更生パネル固定用）
【図１】
2008127801.tif 000003
【図２】
2008127801.tif 000004
【図３】
2008127801.tif 000005
【図４】
2008127801.tif 000006
【図５】
2008127801.tif 000007
【図６】
2008127801.tif 000008
【図７】
2008127801.tif 000009
【図８】
2008127801.tif 000010
【図９】
2008127801.tif 000011
【図１０】
2008127801.tif 000012
【図１１】
2008127801.tif 000013
【図１２】
2008127801.tif 000014
【図１３】
2008127801.tif 000015
【図１４】
2008127801.tif 000016